【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
動画像の各ピクチャを所定サイズで分割した第１のブロックの中を更に１つ或いは複数の第２のブロックに分割して前記動画像が符号化されたビットストリームを復号する動画像復号装置であって、
前記ビットストリームを復号して前記第２のブロックの差分量子化パラメータを抽出する復号部と、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出部と、
前記第２のブロックの差分量子化パラメータと前記予測量子化パラメータとの加算により前記第２のブロックの量子化パラメータを生成する量子化パラメータ生成部と
を備え、
前記予測量子化パラメータ導出部は、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする動画像復号装置。
【請求項２】
動画像の各ピクチャを所定サイズで分割した第１のブロックの中を更に１つ或いは複数の第２のブロックに分割して前記動画像が符号化されたビットストリームを復号する動画像復号方法であって、
前記ビットストリームを復号して前記第２のブロックの差分量子化パラメータを抽出する復号ステップと、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、
前記第２のブロックの差分量子化パラメータと前記予測量子化パラメータとの加算により前記第２のブロックの量子化パラメータを生成する量子化パラメータ生成ステップと
を有し、
前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする動画像復号方法。
【請求項３】
動画像の各ピクチャを所定サイズで分割した第１のブロックの中を更に１つ或いは複数の第２のブロックに分割して前記動画像が符号化されたビットストリームを復号する動画像復号プログラムであって、
前記ビットストリームを復号して前記第２のブロックの差分量子化パラメータを抽出する復号ステップと、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、
前記第２のブロックの差分量子化パラメータと前記予測量子化パラメータとの加算により前記第２のブロックの量子化パラメータを生成する量子化パラメータ生成ステップと
をコンピュータに実行させ、
前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする動画像復号プログラム。
【請求項４】
動画像の各ピクチャを所定サイズで分割した第１のブロックの中を更に１つ或いは複数の第２のブロックに分割して前記動画像が符号化されたビットストリームを復号する受信装置であって、
パケット化された符号化データをネットワークを介して受信する受信部と、
受信された符号化データをパケット処理してビットストリームを生成するパケット処理部と、
前記ビットストリームを復号して前記第２のブロックの差分量子化パラメータを抽出する復号部と、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出部と、
前記第２のブロックの差分量子化パラメータと前記予測量子化パラメータとの加算により前記第２のブロックの量子化パラメータを生成する量子化パラメータ生成部と
を備え、
前記予測量子化パラメータ導出部は、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする受信装置。
【請求項５】
動画像の各ピクチャを所定サイズで分割した第１のブロックの中を更に１つ或いは複数の第２のブロックに分割して前記動画像が符号化されたビットストリームを復号する受信方法であって、
パケット化された符号化データをネットワークを介して受信する受信ステップと、
受信された符号化データをパケット処理してビットストリームを生成するパケット処理ステップと、
前記ビットストリームを復号して前記第２のブロックの差分量子化パラメータを抽出する復号ステップと、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、
前記第２のブロックの差分量子化パラメータと前記予測量子化パラメータとの加算により前記第２のブロックの量子化パラメータを生成する量子化パラメータ生成ステップと
を有し、
前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする受信方法。
【請求項６】
動画像の各ピクチャを所定サイズで分割した第１のブロックの中を更に１つ或いは複数の第２のブロックに分割して前記動画像が符号化されたビットストリームを復号する受信プログラムであって、
パケット化された符号化データをネットワークを介して受信する受信ステップと、
受信された符号化データをパケット処理してビットストリームを生成するパケット処理ステップと、
前記ビットストリームを復号して前記第２のブロックの差分量子化パラメータを抽出する復号ステップと、
前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、
前記第２のブロックの差分量子化パラメータと前記予測量子化パラメータとの加算により前記第２のブロックの量子化パラメータを生成する量子化パラメータ生成ステップと
をコンピュータに実行させ、
前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、
ことを特徴とする受信プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム、並びに、受信装置、受信方法、及び受信プログラム
【手続補正３】
【補正対象書類名】明細書
【補正対象項目名】０００９
【補正方法】変更
【補正の内容】
【０００９】
動画像の各ピクチャを所定サイズで分割した第１のブロックの中を更に１つ或いは複数の第２のブロックに分割して前記動画像が符号化されたビットストリームを復号する動画像復号装置であって、前記ビットストリームを復号して前記第２のブロックの差分量子化パラメータを抽出する復号部と、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出部と、前記第２のブロックの差分量子化パラメータと前記予測量子化パラメータとの加算により前記第２のブロックの量子化パラメータを生成する量子化パラメータ生成部とを備え、前記予測量子化パラメータ導出部は、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする動画像復号装置を提供する。
動画像の各ピクチャを所定サイズで分割した第１のブロックの中を更に１つ或いは複数の第２のブロックに分割して前記動画像が符号化されたビットストリームを復号する動画像復号方法であって、前記ビットストリームを復号して前記第２のブロックの差分量子化パラメータを抽出する復号ステップと、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、前記第２のブロックの差分量子化パラメータと前記予測量子化パラメータとの加算により前記第２のブロックの量子化パラメータを生成する量子化パラメータ生成ステップとを有し、前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする動画像復号方法を提供する。
動画像の各ピクチャを所定サイズで分割した第１のブロックの中を更に１つ或いは複数の第２のブロックに分割して前記動画像が符号化されたビットストリームを復号する動画像復号プログラムであって、前記ビットストリームを復号して前記第２のブロックの差分量子化パラメータを抽出する復号ステップと、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、前記第２のブロックの差分量子化パラメータと前記予測量子化パラメータとの加算により前記第２のブロックの量子化パラメータを生成する量子化パラメータ生成ステップとをコンピュータに実行させ、前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする動画像復号プログラムを提供する。
動画像の各ピクチャを所定サイズで分割した第１のブロックの中を更に１つ或いは複数の第２のブロックに分割して前記動画像が符号化されたビットストリームを復号する受信装置であって、パケット化された符号化データをネットワークを介して受信する受信部と、受信された符号化データをパケット処理してビットストリームを生成するパケット処理部と、前記ビットストリームを復号して前記第２のブロックの差分量子化パラメータを抽出する復号部と、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出部と、前記第２のブロックの差分量子化パラメータと前記予測量子化パラメータとの加算により前記第２のブロックの量子化パラメータを生成する量子化パラメータ生成部とを備え、前記予測量子化パラメータ導出部は、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする受信装置を提供する。
動画像の各ピクチャを所定サイズで分割した第１のブロックの中を更に１つ或いは複数の第２のブロックに分割して前記動画像が符号化されたビットストリームを復号する受信方法であって、パケット化された符号化データをネットワークを介して受信する受信ステップと、受信された符号化データをパケット処理してビットストリームを生成するパケット処理ステップと、前記ビットストリームを復号して前記第２のブロックの差分量子化パラメータを抽出する復号ステップと、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、前記第２のブロックの差分量子化パラメータと前記予測量子化パラメータとの加算により前記第２のブロックの量子化パラメータを生成する量子化パラメータ生成ステップとを有し、前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする受信方法を提供する。
動画像の各ピクチャを所定サイズで分割した第１のブロックの中を更に１つ或いは複数の第２のブロックに分割して前記動画像が符号化されたビットストリームを復号する受信プログラムであって、パケット化された符号化データをネットワークを介して受信する受信ステップと、受信された符号化データをパケット処理してビットストリームを生成するパケット処理ステップと、前記ビットストリームを復号して前記第２のブロックの差分量子化パラメータを抽出する復号ステップと、前記第２のブロックの左に近接する第３のブロック及び前記第２のブロックの上に近接する第４のブロックの量子化パラメータを用いて、前記第２のブロックの予測量子化パラメータを導出する予測量子化パラメータ導出ステップと、前記第２のブロックの差分量子化パラメータと前記予測量子化パラメータとの加算により前記第２のブロックの量子化パラメータを生成する量子化パラメータ生成ステップとをコンピュータに実行させ、前記予測量子化パラメータ導出ステップにおいて、前記第３のブロックが前記第１のブロックの境界を越えていない位置にある場合は、前記第３のブロックの量子化パラメータを第１の量子化パラメータとし、前記第１のブロックの境界を越えた位置にある場合は、前記第２のブロックより前に復号された第５のブロックの量子化パラメータを第１の量子化パラメータとし、前記第４のブロックが前記第１のブロックの境界を越えていない位置にある場合は、前記第４のブロックの量子化パラメータを第２の量子化パラメータとし、前記第１のブロックの境界を越えた位置にある場合は、前記第５のブロックの量子化パラメータを第２の量子化パラメータとし、第１の量子化パラメータ及び第２の量子化パラメータを用いて、前記第２のブロックの予測量子化パラメータを導出する、ことを特徴とする受信プログラムを提供する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】